(57)【要約】  マスクは、患者の呼吸を支援するように構成されている。ガス入口部は、ガス供給源を前記マスクに接続するとともに、供給ガス流を患者の肌へ向けるように配置されている。散乱チャンバは、前記ガス入口部と連通された入口部、および前記供給ガス流が前記患者の肌から離れて前記マスクの内面および当該肌と当該内面の間の領域へ向かうように散乱させるべく配置された複数の出口部を有している。アウトガスコレクタアセンブリは、前記散乱チャンバと隣接するように接続され、患者から吐出されたアウトガスを捕集するとともに当該アウトガスを前記マスクから排出すべく配置されている。【選択図】図１
2019521828.tif 000002
【特許請求の範囲】
【請求項１】
患者の呼吸を支援するように構成されたマスクであって、
ガス供給源を前記マスクに接続するとともに、供給ガス流を患者の肌へ向けるように配置されたガス入口部と、
前記ガス入口部と連通された入口部、および前記供給ガス流が前記患者の肌から離れて前記マスクの内面および当該肌と当該内面の間の領域へ向かうように散乱させるべく配置された複数の出口部を有する散乱チャンバと、
前記散乱チャンバと隣接するように接続され、患者から吐出されたアウトガスを捕集するとともに当該アウトガスを前記マスクから排出すべく配置されたアウトガスコレクタアセンブリと、
を備えている、
マスク。
【請求項２】
前記内面は、前記患者により吸入されるべく散乱された前記供給ガス流を当該患者の口と鼻へ向けてはね返すように配置されている、
請求項１に記載のマスク。
【請求項３】
センサが前記領域と連通するように接続されている、
請求項２に記載のマスク。
【請求項４】
前記散乱チャンバは、前記供給ガス流を前記入口部から前記複数の出口部へ向けるように配置された上面を有するフロー偏向部をさらに備えている、
請求項１に記載のマスク。
【請求項５】
前記入口部の中央軸は、前記散乱チャンバの中央軸とほぼ直交している、
請求項４に記載のマスク。
【請求項６】
前記複数の出口部は、前記散乱チャンバの下部に配置されており、
前記複数の出口部の各々は、前記散乱チャンバの中央軸とほぼ平行な中央軸を有している、
請求項５に記載のマスク。
【請求項７】
前記複数の出口部は、矩形、円形、楕円形、またはこれらの組合せである形状を有する開口である、
請求項６に記載のマスク。
【請求項８】
前記散乱チャンバは、通過する前記供給ガスの流れの調節を許容するための調節部材をさらに備えている、
請求項４に記載のマスク。
【請求項９】
前記調節部材は、前記複数の出口部の少なくとも一つに回転可能に隣接している、
請求項８に記載のマスク。
【請求項１０】
前記調節部材は、前記複数の出口部の少なくとも一つに摺動可能に隣接している、
請求項８に記載のマスク。
【請求項１１】
前記複数の出口部の断面積は、所望の体積流量に基づいて定められている、
請求項４に記載のマスク。
【請求項１２】
前記アウトガスコレクタアセンブリは、口アウトガスコレクタと少なくとも一つの鼻アウトガスコレクタを備えている、
請求項１に記載のマスク。
【請求項１３】
前記マスクの通常使用時において、前記患者と前記口アウトガスコレクタの間に空隙が区画される、
請求項１２に記載のマスク。
【請求項１４】
前記アウトガスコレクタアセンブリは、前記口アウトガスコレクタ前記少なくとも一つの鼻アウトガスコレクタと連通されたアウトガス組成分析部をさらに備えている、
請求項１２に記載のマスク。
【請求項１５】
前記鼻アウトガスコレクタは、マスクに対して固定的に接続されている、
請求項１２に記載のマスク。
【請求項１６】
前記アウトガスコレクタアセンブリの一部は、取り外し可能である、
請求項１に記載のマスク。
【請求項１７】
マスクを用いた補助呼吸中に患者の肌を保護する方法であって、
ガスを患者の顔に向けるように配置された前記マスクのガス入口部にガスを導入し、
前記マスクの散乱チャンバに前記ガスを通過させることによって当該ガスを前記患者の顔から逸らし、
前記患者の呼気に伴うアウトガスをアウトガスコレクタに捕集する、
方法。
【請求項１８】
前記散乱チャンバは、少なくとも一つの出口部の中央軸と平行である中央軸を有する入口部を備えている、
請求項１７に記載の方法。
【請求項１９】
入口を通って前記散乱チャンバに進入した前記ガスをフロー偏向部へ向け、
前記フロー偏向部の上面から前記ガスの流れを逸らし、
偏向された前記ガスの流れを少なくとも一つの出口部へ向ける、
請求項１７に記載の方法。
【請求項２０】
前記少なくとも一つの出口部は、矩形、円形、楕円形、またはこれらの組合せである形状を有する開口である、
請求項１７に記載の方法。
【請求項２１】
前記少なくとも一つの出口部の断面積を計算し、  
前記散乱チャンバを通過する前記ガスの流れの流量を、計算された前記断面積に基づいて計算する、
請求項１７に記載の方法。
【請求項２２】
前記散乱チャンバの第一部分を、当該散乱チャンバの第二部分を中心として回転させることによって前記少なくとも一つの出口部の断面積を調節し、当該出口部を通過する前記ガスの流量を選択する、
請求項１７に記載の方法。
【請求項２３】
前記散乱チャンバの第一部分を、隣接する当該散乱チャンバの第二部分に対して摺動させることによって前記少なくとも一つの出口部の断面積を調節し、当該出口部を通過する前記ガスの流量を変更する、
請求項１７に記載の方法。
【請求項２４】
前記患者の肌から離間しているアウトガスコレクタアセンブリにおいて患者のアウトガスを捕集する、
請求項１７に記載の方法。
【請求項２５】
前記患者のアウトガスの組成を分析する、
請求項２４に記載の方法。
【請求項２６】
偏向されて前記マスクの内面に接触した前記ガスの組成を分析する、
請求項１７に記載の方法。
【発明の詳細な説明】
【技術分野】
【０００１】
ここに記載される例は、患者の顔に装着されうるマスクを含む。マスクの装着は、当該患者へ供給される気体を導入するようになされる。例示されるマスクは、散乱チャンバを有しうる。散乱チャンバは、供給されて進入する空気が患者の肌に直接当たらないように拡散させやすくできる。
【背景技術】
【０００２】
酸素供給マスクは、患者に酸素を供給するために当該患者の顔の肌の近くに接続されうる。
【発明の概要】
【発明が解決しようとする課題】
【０００３】
供給された酸素の流れは、患者の素肌に直接当たると害をなす場合があり、当該患者を不快にするとともに、肌を乾燥させたり冷やしたりする。患者が不快感を覚えると、位置の調節が繰り返されたり、場合によってはマスクが取り外されたりする。これにより、当該患者によって吸入される空気の質が低下し、処置が進行中の場合は当該患者の回復の妨げになりうる。
【課題を解決するための手段】
【０００４】
この概要は例示に過ぎず、いかなる限定の意図を有するものではない。上述の態様、実施形態、および特徴の例とは別の態様、実施形態、および特徴は、図面および以降の詳細な説明を参照することにより明らかになる。
【０００５】
一例として、マスクは、患者の呼吸を支援するように構成され、ガス入口部を備える。前記ガス入口部は、ガス供給源を前記マスクに接続するとともに、供給ガス流を患者の肌へ向けるように配置される。前記ガス入口部と連通された入口部、および前記供給ガス流が前記患者の肌から離れて前記マスクの内面および当該肌と当該内面の間の領域へ向かうように散乱させるべく配置された複数の出口部を有する散乱チャンバが設けられる。前記散乱チャンバと隣接するように接続され、患者から吐出されたアウトガスを捕集するとともに当該アウトガスを前記マスクから排出すべく配置されたアウトガスコレクタアセンブリが設けられる。
【０００６】
一例として、マスクを用いた補助呼吸中に患者の肌を保護する方法は、ガスを患者の顔に向けるように配置された前記マスクのガス入口部にガスを導入し、前記マスクの散乱チャンバに前記ガスを通過させることによって当該ガスを前記患者の顔から逸らし、前記患者の呼気に伴うアウトガスをアウトガスコレクタに捕集する。
【図面の簡単な説明】
【０００７】
本開示に係る前述の特徴および他の特徴は、添付の図面と併せ、以降の説明および添付の特許請求の範囲からより明らかになる。これらの図面は、本開示に係る複数の例を示しているに過ぎず、開示の範囲を限定するものとみなされるべきではない。本開示は、以下に列挙される添付の図面の使用を通じて、より特定的かつ詳細に説明される。
【０００８】
【図１】本開示の一実施形態に係るマスクの斜視図である。
【図２】図１のマスクの正面図である。
【図３】図１のマスクの背面図である。
【図４】図１のマスクの上面図である。
【図５】図１のマスクの底面図である。
【図６】図１のマスクの右側面図である。
【図７】図６のマスクにおける線１−１に沿ってマスクの下端を臨む断面斜視図であり、鼻アウトガスコレクタの一部を示している。
【図８Ａ】図６のマスクにおける線２−２に沿ってマスクの下端を臨む断面斜視図であり、鼻アウトガスコレクタと散乱チャンバの一部を示している。
【図８Ｂ】図８Ａのマスクにおける散乱チャンバの一部拡大図である。
【図９】図６のマスクにおける線３−３に沿ってマスクの下端を臨む断面斜視図であり、口アウトガスコレクタの一部を示している。
【図１０】図６のマスクにおける線４−４に沿ってマスクの上端を臨む断面斜視図であり、鼻アウトガスコレクタと散乱チャンバの一部を示している。
【図１１】図６のマスクにおける線５−５に沿ってマスクの上端を臨む断面斜視図であり、アウトガスコレクタチャネルの一部を示している。
【図１２】図２のマスクにおける線６−６に沿ってマスクの左側を臨む断面右側面図であり、口アウトガスコレクタ、鼻アウトガスコレクタ、およびアウトガスコレクタチャネルの一部を示している。
【図１３】図２のマスクにおける線７−７に沿ってマスクの左側を臨む断面右側面図であり、散乱チャンバの一部を示している。
【図１４】図２のマスクにおける線８−８に沿ってマスクの左側を臨む断面右側面図であり、散乱チャンバの別例の一部を示している。
【０００９】
全ての図面は、本開示における複数の実施形態に対応するように作成されている。
【発明を実施するための形態】
【００１０】
以降の詳細な説明においては、本開示の一部をなす添付の図面が参照される。図面においては、特に断りのない限り、同様の符号が同様の要素を特定する。詳細な説明、図面、および特許請求の範囲に記載された例は、限定されることを意図していない。ここに開示された事項の趣旨から逸脱しなければ、他の例が利用されてもよいし、変更がなされてもよい。本明細書に記載され、図面に例示された本開示に係る複数の態様は、暗示される多様な別構成として置き換え、組み合わせ、分離などがなされうる。
【００１１】
本開示は、患者の呼吸を支援するように構成されたマスクと関連する方法、システム、製品、デバイス、および装置の少なくとも一つの例を記載している。一例において、マスクは、ガス供給源をマスクに接続し、ガス流を患者の肌とマスクの内面の間の領域へ向けるように配置されたガス入口を備えうる。当該マスクは、一つの入口と複数の出口が設けられた散乱チャンバをさらに備えうる。当該入口は、ガス入口と連通されている。当該複数の出口は、ガス流を散乱して患者の肌からマスクの内面へ向かうように配置されている。当該マスクは、散乱チャンバ付近に接続されたアウトガスコレクタアセンブリをさらに備えうる。アウトガスコレクタアセンブリは、患者から吐出されたアウトガスを集め、当該アウトガスをマスクから排出するように配置されている。
【００１２】
図１は、本開示の一実施形態に係るマスクの斜視図である。図１は、マスク１００、シールド１０２（上端１０４、下端１０６、右側部１０８、左側部１１０、内面１１２、外面１１４、および壁厚１１６を有している）、リブリーザ開口１１８、アウトガスコレクタアセンブリ２００（口アウトガスコレクタ２０２、鼻アウトガスコレクタ２０４、アウトガスコレクタ通路２０６、およびアウトガスコレクタ分析部２０８を備えている）、二つの供給ガス入口部１３０、二つの供給ガスアライメント部１３２（各々がタブ１３４と開口１３６を有する）、二つの供給ガスライン１３３、チャンバ１３８、および肌接触部１４０を示している。
【００１３】
図１のマスク１００は、ほぼドーム形状の外観を呈している。他の全体形状や外観が用いられてもよい。口と鼻の少なくとも一方を覆いつつ患者の顔に沿う形状が用いられうる。マスク１００は、上端１０４、下端１０６、右側部１０８、および左側部１１０を有するシールド１０２を含みうる。当該シールドは、様々な材料のいずれか（プラスチックなど）で形成されうる。シールドの形成に使用される材料は、透明でありうる。また、当該材料は柔軟でありうる。
【００１４】
当該シールドは、シールド１０２の下縁を囲む肌接触部１４０も有しうる。肌接触部１４０は、マスク１００の内側から外側へ円弧状に張り出した形状を含みうる。当該肌接触部は、患者の顔に対する封止性を高めうる別材料（ガスケット材料など）から形成されうる。
【００１５】
シールド１０２は、内面１１２と外面１１４を有しうる。チャンバ１３８は、シールド１０２の内面１１２、リブリーザ開口１１８、および患者の肌の間に形成されうる。チャンバ１３８は、患者により吸入された空気の向きを制御しつつ混合された空気を当該患者が呼吸可能な領域に保持するための混合チャンバとして機能しうる。例えば、チャンバ１３８は、供給されたガスが患者により吸入される前に内面１１２により跳ね返されて外気と混合されるような形状とされうる。例えば、患者から吐出されたアウトガスの一部は、当該患者により再吸入される前にチャンバ１３８へ進入して外気および供給されたガスと混合されうる。
【００１６】
リブリーザ開口１１８は、シールド１０２の上端１０４、下端１０６、右側部１０８、および左側部１１０の各縁により形成されうる。リブリーザ開口１１８は、患者から吐出されたアウトガスが直接再吸入されることの抑制または防止を助けうる。リブリーザ開口１１８は、外気のチャンバ１３８への連通を許容しうる。リブリーザ開口１１８は、吐出されたアウトガスが患者に再吸入される前に外気および供給されたガスと混合することにより、当該アウトガスの希釈を助けうる。例えば、当該リブリーザ開口は、矩形状を有する。当該矩形の長辺はシールド１１２の右側部１０８および左側部１１０に隣接し、湾曲した短辺は、シールド１１２の上端１０４および下端１０６に隣接する。患者が異なれば、顔の形やリブリーザの必要性も異なりうる。こうした要請に応じて、リブリーザ開口の大きさや形状は変更されうる。
【００１７】
マスク１００は、二つの供給ガス入口部１３０を有しうる。二つの供給ガス入口部１３０は、二つの供給ガスライン１３３を通じて供給されるガス流をマスク１００に接続し、当該ガス流をチャンバ１３８へ導くために使用されうる。図１には二つの供給ガス入口部１３０が示されているが、一つ、三つ、四つなど別の数の供給ガス入口が設けられてもよい。一実施形態においては、供給ガス入口部１３０は円筒形状であるが、他の断面形状が用いられてもよい。マスク１００は、右側部１０８と左側部１１０に二つの供給ガスアライメント部１３２を備えうる。例えば、加圧されたタンクなどのガス供給源が設けられうる。本開示に係るマスクとともに多様な供給ガスが使用されうる。供給ガスの例としては、酸素、窒素、酸素混合物、笑気、あるいはその組合せが挙げられるが、これらに限定されるものではない。供給ガスラインは、タンクから供給ガス入口部１３０へと延伸されうる。供給ガスラインは、供給ガスアライメント部１３２と結合されうる。
【００１８】
各供給ガスアライメント部１３２は、タブ１３４と開口１３６を含みうる。一実施形態においては、開口１３６は円形であるが、他の断面形状が用いられてもよい。二つの供給ガスアライメント部１３２は、患者が快適性を助長するように供給ガスライン１３３をマスク１００に取り付け、マスク１００にガス供給ライン１３３が接続された状態を保持するために使用されうる。例えば、供給ガスライン１３３は、開口１３６を通されて供給ガス入口部１３０へ接続されうる。
【００１９】
マスク１００は、口と鼻の少なくとも一方を部分的に覆うように、患者の顔に配置されうる。シールド１０２は、様々な形状の患者の顔構造に応じて側部や端部を調節しやすいように、柔軟な材料から形成されうる。上端１０４は、様々な形状の患者の鼻を柔軟に収容する形状とされうる。右側部１０８と左側部１１０は、様々な形状の患者の頬を柔軟に収容する形状とされうる。下端１０６は、様々な形状の患者の顎を柔軟に収容する形状とされうる。肌接触部１４０は、患者の顔の肌に接触する。例えば、肌接触部１４０の湾曲凸形状は、マスク１００が患者の肌に心地よく接することを許容する。加えて、肌接触部１４０の湾曲形状は、供給ガスがチャンバ１３８から抜け出すことを抑制または防止しうる。これにより、肌接触部１４０と患者の肌の間でガスの流れが抑制されるかガスが流れない。
【００２０】
アウトガスコレクタアセンブリ２００は、リブリーザ開口１１８を横切って右側部１０８と左側部１１０を接続しうる。アウトガスコレクタアセンブリ２００は、口アウトガスコレクタ２０２を備えうる。口アウトガスコレクタ２０２は、患者の口に隣接するように配置され、患者の口から放出されたアウトガスの少なくとも一部を捕集する。これに加えてあるいは代えて、アウトガスコレクタアセンブリ２００は、鼻アウトガスコレクタ２０４を備えうる。鼻アウトガスコレクタ２０４は、患者の鼻の少なくとも一方に隣接するように配置され、患者の鼻から放出されたアウトガスを捕集する。アウトガスコレクタアセンブリ２００は、図３に示される散乱チャンバ３００と接続され、患者から放出されたアウトガスを捕集するとともに、当該アウトガスをマスクから排出するように配置される。
【００２１】
例えば、口アウトガスコレクタ２０２は、患者の肌と直接に接触しない。これにより、口アウトガスコレクタ２０２の底部と患者の口の間に隙間が形成される。隙間の大きさは問わない。ミリメートルオーダーでもよいし、センチメートルオーダーでもよい。当該隙間は、ガス供給源からの新鮮なガスが患者の口に向かって確実に流れるようにしうる。一実施形態においては、鼻アウトガスコレクタ２０４は、患者の肌と直接に接触しない。これにより、鼻アウトガスコレクタ２０４の底部と患者の少なくとも一方の鼻の間に隙間が形成される。口アウトガスコレクタ２０２と鼻アウトガスコレクタ２０４を用いてアウトガスを捕集しても、患者から放出された別のアウトガスが、シールド１０２の内面１１２と患者の肌との間に形成されたチャンバ１３８に流入しうる。放出されたアウトガスを吸入することは、患者にとって害をなしうるので、リブリーザ開口１１８は、チャンバ１３８を外気と連通しうる。これにより、チャンバ１３８内の放出されたアウトガスは、患者により吸入される前に外気および供給ガスによって希釈されうる。
【００２２】
一実施形態においては、アウトガスコレクタアセンブリ２００は、取り外し可能でありうる。この特徴は、マスク全体を外すことなく医療従事者が患者の口や鼻を検査できるようにするために必要とされうる。例えば、口アウトガスコレクタ２０２、鼻アウトガスコレクタ２０４、アウトガスコレクタ通路２０６、およびアウトガスコレクタ分析部２０８を備えたアウトガスコレクタアセンブリ２００は、マスク１００との接続を解除されて取り外されうる。これにより、患者の口と鼻が、リブリーザ開口１１８を通じて露出される。アウトガスコレクタアセンブリ２００の接続解除は、供給ガスライン１３３を通じての供給ガス入口部１３０へのガス供給を断つものではない。これにより、供給ガスの流れが供給され続け、患者の呼吸を支援しうる。
【００２３】
図１に記載された様々なコンポーネントは例示に過ぎず、コンポーネントの除去、結合、および置き換えを含む様々な変更がなされうる。
【００２４】
図２は、図１のマスクの正面図である。図２は、マスク１００、シールド１０２（上端１０４、下端１０６、右側部１０８、左側部１１０、内面１１２、外面１１４、および壁厚１１６を有している）、リブリーザ開口１１８、アウトガスコレクタアセンブリ２００（口アウトガスコレクタ２０２、鼻アウトガスコレクタ２０４、およびアウトガスコレクタ分析部２０８を備えている）、二つの供給ガス入口部１３０、二つの供給ガスライン１３３、および二つの供給ガスアライメント部１３２を示している。図２に記載された様々なコンポーネントは例示に過ぎず、コンポーネントの除去、結合、および置き換えを含む様々な変更がなされうる。
【００２５】
図３は、図１のマスクの背面図である。図３は、マスク１００、シールド１０２（上端１０４、下端１０６、右側部１０８、左側部１１０、内面１１２、外面１１４、および壁厚１１６を有している）、リブリーザ開口１１８、アウトガスコレクタアセンブリ２００（口アウトガスコレクタ２０２、鼻アウトガスコレクタ２０４、およびアウトガスコレクタ通路２０６を備えている）、二つの供給ガスアライメント部１３２、二つの供給ガスライン１３３、複数の散乱チャンバ出口部３０２を備えた散乱チャンバ３００、二つのフレキシブル部材２１０、および肌接触部１４０を示している。
【００２６】
図３は、二つの散乱チャンバ３００を示している。散乱チャンバ３００は、それぞれ供給ガス入口部１３０（例えば図１と図２に示されるもの）に連通されている。例えば、供給ガス入口部１３０へ流入するガスは、対応する散乱チャンバ３００へ進入し、当該チャンバを通過して出口部３０２から出る。散乱チャンバの数は任意でありうるが、普通は一つの入口ごとに一つの散乱チャンバが設けられる。複数の入口が一つの散乱チャンバと繋げられてもよい。散乱チャンバ３００は、患者の肌から離れるように（例えば、患者の肌に直接向かわないように）、かつマスク１００の内面１１２に向かうようにガス流を散乱させうる。
【００２７】
複数の出口部３０２は、患者の肌から離れるように（例えば、患者の肌に直接向かわないように）、かつマスク１００の内面１１２に向かうようにガス流を散乱させるべく配置されている。出口部の数は任意でありうる。出口部は、スロット、穴、あるいは他の形状の開口でありうる。当該開口は、通過するガス流が患者の肌から離れる（例えば、直接向かわない）方向に配置される。これにより、ガスは、患者の肌に直接向けられることなく、マスクの内部へ導入されうる。例えば、患者の肌から離れるガス流を散乱させることにより、当該ガス流は、概ね患者の肌表面に垂直でない方向へ向けられる。マスク１００の内面１１２は、散乱された供給ガスを患者の口および鼻へ向けてはね返して当該患者に吸引させるように配置されうる。
【００２８】
図３に記載された様々なコンポーネントは例示に過ぎず、コンポーネントの除去、結合、および置き換えを含む様々な変更がなされうる。
【００２９】
図４は、図１のマスクの上面図である。図４は、マスク１００、シールド１０２（上端１０４、右側部１０８、左側部１１０、内面１１２、外面１１４、および壁厚１１６を有している）、アウトガスコレクタアセンブリ２００（鼻アウトガスコレクタ２０４、およびアウトガスコレクタ通路２０６を備えている）、二つの供給ガス入口部１３０、二つの供給ガスアライメント部１３２、二つの供給ガスライン１３３、および肌接触部１４０を示している。図４に記載された様々なコンポーネントは例示に過ぎず、コンポーネントの除去、結合、および置き換えを含む様々な変更がなされうる。
【００３０】
図５は、図１のマスクの底面図である。図５は、マスク１００、シールド１０２（下端１０６、右側部１０８、左側部１１０、内面１１２、外面１１４、および壁厚１１６を有している）、アウトガスコレクタアセンブリ２００（アウトガスコレクタ通路２０６およびアウトガスコレクタ分析部２０８を備えている）、二つの供給ガス入口部１３０、二つの供給ガスアライメント部１３２、二つの供給ガスライン１３３、リブリーザ開口１１８、および肌接触部１４０を示している。
【００３１】
アウトガスコレクタ分析部２０８は、アウトガスコレクタ通路２０６またはアウトガスコレクタアセンブリ２００の別の箇所へガス組成センサを接続するために使用されうる。これにより、患者から吐き出されたアウトガスがアウトガスコレクタアセンブリ２００から排出される前に、当該アウトガスの測定が可能とされうる。例えば、アウトガスコレクタ分析部２０８は、患者のアウトガスの組成を測定可能な分析器を含みうる。当該分析器は、例えばガス検出器を用いることにより実現されうる。患者から吐き出されたアウトガスの正確な放出組成は、当該アウトガスが外気により十分に希釈される前に測定されうることが望ましい。図５に記載された様々なコンポーネントは例示に過ぎず、コンポーネントの除去、結合、および置き換えを含む様々な変更がなされうる。
【００３２】
図６は、図１のマスクの右側面図である。図６は、マスク１００、シールド１０２（上端１０４、下端部１０６、右側部１０８、および外面１１４を有している）、アウトガスコレクタ分析部２０８を備えたアウトガスコレクタアセンブリ２００、供給ガス入口部１３０、供給ガスアライメント部１３２、供給ガスライン１３３、および肌接触部１４０を示している。図６に記載された様々なコンポーネントは例示に過ぎず、コンポーネントの除去、結合、および置き換えを含む様々な変更がなされうる。
【００３３】
図７は、図６のマスクにおける線１−１に沿ってマスクの下端を臨む断面斜視図であり、鼻アウトガスコレクタの一部を示している。図７は、マスク１００、シールド１０２（下端１０６、右側部１０８、左側部１１０、内面１１２、外面１１４、および壁厚１１６を有している）、肌接触部１４０、二つの供給ガス入口部１３０、供給ガスアライメント部１３２、二つの供給ガスライン１３３、アウトガスコレクタアセンブリ２００（アウトガスコレクタ通路２０６、口アウトガスコレクタ２０２、および鼻アウトガスコレクタ２０４を備えている）、二つのフレキシブル部材２１０、および複数の出口部３０２を備えた二つの散乱チャンバ３００を示している。
【００３４】
フレキシブル部材２１０は、散乱チャンバ３００の外面と鼻アウトガスコレクタ２０４に接続されうる。フレキシブル部材２１０は、様々な患者の顔形状と快適さの要求に応えるべく、マスク１００内で口アウトガスコレクタ２０２と鼻アウトガスコレクタ２０４を調節可能に位置決めするために使用されうる。口アウトガスコレクタ２０２と鼻アウトガスコレクタ２０４は、アウトガスコレクタ通路２０６と連通されている。これにより、患者の口および鼻から放出されたアウトガスが、マスク１００から排出される前に集められる。図７に記載された様々なコンポーネントは例示に過ぎず、コンポーネントの除去、結合、および置き換えを含む様々な変更がなされうる。
【００３５】
図８Ａは、図６のマスクにおける線２−２に沿ってマスクの下端を臨む断面斜視図であり、鼻アウトガスコレクタと散乱チャンバの一部を示している。図８は、マスク１００、シールド１０２（下端１０６、右側部１０８、左側部１１０、内面１１２、外面１１４、および壁厚１１６を有している）、肌接触部１４０、二つの供給ガス入口部１３０、二つの供給ガスアライメント部１３２、二つの供給ガスライン１３３、アウトガスコレクタアセンブリ２００（アウトガスコレクタ通路２０６、口アウトガスコレクタ２０２、および鼻アウトガスコレクタ２０４を備えている）、二つのフレキシブル部材２１０、および二つの散乱チャンバ３００（各々が中央軸３０４、中央軸３１４を有する入口部３０６、上面３１０を有するフロー偏向部３０８、および各々が中央軸３１２を有する複数の出口部３０２を備えている）を示している。
【００３６】
散乱された供給ガスがはね返されることにより、当該供給ガスとリブリーザ開口１１８から供給される外気の混合が促進されうる。これにより、患者の肌に接触する散乱流が当該肌に及ぼす望ましくない影響が抑制されうる。患者の口と口アウトガスコレクタ２０２の間の隙間、および患者の鼻と鼻アウトガスコレクタ２０４の間の隙間は、散乱された供給ガス流の患者による吸入を促進しうる。
【００３７】
各散乱チャンバ３００は、中央軸３０４、中央軸３１４を有する入口部３０６、上面３１０を有するフロー偏向部３０８、および各々が中央軸３１２を有する複数の出口部３０２を備えている。
【００３８】
フロー偏向部３０８は、散乱チャンバ３００の底部として形成されてもよいし、散乱チャンバ３００に組付けあるいは接続される別部品であってもよい。一実施形態においては、フロー偏向部３０８の上面３１０は、供給ガス流を入口部３０６から出口部３０２へ向かわせるように配置される。図８Ａと図８Ｂに示される実施形態においては、フロー偏向部３０８は円筒形状を有しており、その上面３１０は、概ね平坦であり、散乱チャンバ３００の中央軸３０４とほぼ直交する。別実施形態においては、フロー偏向部３０８は、上面３１０が概ね平坦ではなく起伏あるいは傾斜を有する形状とされうる。
【００３９】
各散乱チャンバ３００は、供給ガス入口部１３０と連通するように配置されている。一実施形態においては、散乱チャンバ３００に流入する供給ガスは、入口部３０６を通じて進入し、散乱チャンバ３００の中央部を通過し、フロー偏向部３０８の上面３１０に衝突する。当該箇所においてフローが偏向され、出口部３０２からチャンバ１３８へ進入し、マスク１００の内面１１２へ向かう。図８Ａに記載された様々なコンポーネントは例示に過ぎず、コンポーネントの除去、結合、および置き換えを含む様々な変更がなされうる。
【００４０】
図８Ｂは、図８Ａのマスクの散乱チャンバ３００の一部拡大図である。図８Ａは、供給ガス入口部１３０、供給ガスライン１３３、および散乱チャンバ３００（各々が中央軸３０４、中央軸３１４を有する入口部３０６、各々が中央軸３１２を有する複数の出口部３０２、および上面３１０を有するフロー偏向部３０８を備えている）を示している。
【００４１】
図８Ａの実施形態に関して説明したように、散乱チャンバ３００へ流入する供給ガスは、入口部３０６を通じて進入し、中央軸３０４とほぼ平行な経路に沿って散乱チャンバ３００の中央部を通過し、フロー偏向部３０８によって偏向され、出口部３０２から出る。
【００４２】
図８Ｂの実施形態においては、入口部３０６は、中央軸３１４を有している。中央軸３１４は、散乱チャンバ３００の中央軸３０４とほぼ直交しており、フロー偏向部３０８の上面３１０とほぼ平行である。中央軸３０４と中央軸３１４が直交していることにより、散乱チャンバ３００の上部の内面から離れるように供給ガスが偏向され、フローの向きが中央軸３０４とほぼ平行とされうる。フローが中央軸３０４とほぼ平行であることは、当該フローが散乱チャンバ３００を出る前にフロー偏向部３０８によってより完全に偏向されるようにすることを助けうる。これにより、より多くのフローが患者の肌へ直接向かうのではなくマスクの内面１１２へ向かいうる。これは、患者が直ちに必要とするガスの体積流量が少ない場合（例えば、患者の体重が軽い場合や、外気に付加される供給ガスの量がさほど多くならないように患者の医療呼吸処方がなされている場合）に望ましいことでありうる。
【００４３】
例えば、中央軸３０４と中央軸３１４の間の角度は、鈍角でありうる。これにより、より多くの供給ガスの初期フローが直ちに散乱チャンバ３００の底部へ向けられるか、あるいは出口部３０２から出される。これは、患者が直ちに必要とするガスの体積流量が多い場合（例えば、患者の体重が重い場合や、多量の供給ガスが患者の医療呼吸に処方されている場合）に望ましいことでありうる。
【００４４】
例えば、中央軸３０４と中央軸３１４の間の角度は、より多くの供給ガスの初期フローが散乱チャンバ３００の上部へ向けられるように鋭角でありうる。これにより、散乱チャンバ３００内における供給ガスと外気の混合が促進されうる。これは、患者が直ちに必要とするガスの体積流量が少ない場合（例えば、患者の体重が軽い場合や、外気に付加される供給ガスの量がさほど多くならないように患者の医療呼吸処方がなされている場合）に望ましいことでありうる。
【００４５】
出口部３０２から出る偏向されたフローの方向は、フロー偏向部３０８の形状と出口部３０２の位置に基づいて定められうる。各出口部３０２は、散乱チャンバ３００の壁により形成された開口でありうる。本実施形態においては、各出口部３０２の中央軸は、フロー偏向部３０８の上面３１０と平行でありうる。これにより、偏向されたフローが散乱チャンバ３００の中央軸３０４にほぼ直交する角度で出口部から出され、患者の肌ではなくほぼマスクの内面１１２へ向けられうる。これは、患者が直ちに必要とするガスの体積流量が少ない場合（例えば、患者の体重が軽い場合や、外気に付加される供給ガスの量がさほど多くならないように患者の医療呼吸処方がなされている場合）に望ましいことでありうる。
【００４６】
図８Ｂに示されるように、出口部３０２は、フロー偏向部３０８内における散乱チャンバ３００の壁により形成された開口でありうる。出口部は、矩形、円形、楕円形、あるいはそれらの組合せでありうる。図８Ｂの実施形態においては、出口部３０２の中央軸３１２は、中央軸３０４と入口部の中央軸３１４の交点から見て鈍角でありうる。この出口部３０２の位置により、散乱チャンバ３００から出て患者の肌へ向かうフローがやや下方へ向けられうる。これは、患者が直ちに必要とするガスの体積流量が多い場合（例えば、患者の体重が重く、より多くのガスが必要とされる場合や、より多量の供給ガスが患者の医療呼吸に処方されている場合）に望ましいことでありうる。
【００４７】
図８Ｂに示されるように、各散乱チャンバ３００の出口部３０２は、当該散乱チャンバ３００におけるアウトガスコレクタアセンブリに最も近い側ではなく、マスク１００の内面に最も近い側に配置されている。この配置は、例えば、供給ガスの流れを患者の口および鼻から遠ざけるように偏向することを助けうる。これにより、マスク１００のリブリーザ開口１１８を通じて進入した外気と供給ガスが、当該患者による吸入に先立って混合されうる。この配置は、例えば、供給ガスが患者により吐出されたアウトガスに捕えられて当該患者に吸入されないこと（短絡）を防止しうる。「短絡」の防止は、所望の量の供給ガスを患者が受け取るために望ましいことでありうる。これにより、供給ガスが無駄にならず、アウトガスコレクタ分析部２０８による患者のアウトガス組成の測定前に供給ガスが付加されることによって当該組成が不必要に希釈されてしまうことがない。
【００４８】
複数の出口部の断面積は、所望の体積流量に基づいて定められうる。システムの体積流量は、当該システムにおける一地点を単位時間あたりに通過する流体の体積を示す値である。体積流量は、流れの断面積と平均流速の積として算出されうる。例えば、供給ガスの流速が一定である場合、出口部の断面積が大きい方が、同じ時間内に許容されるガス流量が大きくなる。ガス流量が大きいと、患者に供給されるガスの量が多くなる。ガス流量が小さいと、患者に供給されるガスの量が少なくなる。
【００４９】
出口部３０２の断面積は、調節可能でありうる。これにより、出口部から出る供給ガスの流れが調節される。例えば、散乱チャンバ３００は、通過する供給ガス流の調節を許容する調節部材を備えうる。調節部材は、少なくとも一つの出口部３０２に隣接して回転可能あるいは摺動可能でありうる。例えば、調節部材は、散乱チャンバの下部の周囲に嵌められたスリーブであり、出口部３０２と同様の複数の出口部を有しうる。調節部材は、摺動あるいは回転を通じて、その出口部が出口部３０２と完全に揃うように調節されうる。このとき出口部３０２が塞がれない。調節部材は、出口部３０２の一部を塞ぐように調節されうる。この場合、出口部３０２を通過する流れが減少する。
【００５０】
一実施形態においては、散乱チャンバ３００は、出口部３０２の断面積を増大させるためにフロー偏向部３０８の位置を調節可能に形成されうる。フロー偏向部３０８は、散乱チャンバ３００内で回転調節あるいは摺動調節可能でありうる。これにより、出口部３０２から出る供給ガスの流れが調節される。例えば、フロー偏向部３０８は、内面１１２へ向かって鉛直上方に、あるいは内面１１２から離れるように鉛直下方に調節されうる。これにより、出口部の断面積が変更される。例えば、フロー偏向部は、散乱チャンバ３００の中心軸３０４に沿って上面３１０とほぼ垂直に延びる縁部を有しうる。フロー偏向部３０８の鉛直上方または下方への調節により、当該縁部は、出口部３０２を塞いだり塞がなかったりする。
【００５１】
図８Ｂに記載された様々なコンポーネントは例示に過ぎず、コンポーネントの除去、結合、および置き換えを含む様々な変更がなされうる。
【００５２】
図９は、図６のマスクにおける線３−３に沿ってマスクの下端を臨む断面斜視図であり、口アウトガスコレクタの一部を示している。図９は、マスク１００、シールド１０２（下端１０６、右側部１０８、左側部１１０、内面１１２、外面１１４、および壁厚１１６を有している）、肌接触部１４０、アウトガスコレクタアセンブリ２００（口アウトガスコレクタ２０２、鼻アウトガスコレクタ２０４、アウトガスコレクタ通路２０６、およびアウトガスコレクタ分析部２０８を備えている）、二つのフレキシブル部材２１０、および二つの散乱チャンバ３００を示している。
【００５３】
図９の実施形態は、口アウトガスコレクタ２０２、鼻アウトガスコレクタ２０４、およびアウトガスコレクタ通路２０６間の連通を示している。図９に記載された様々なコンポーネントは例示に過ぎず、コンポーネントの除去、結合、および置き換えを含む様々な変更がなされうる。
【００５４】
図１０は、図６のマスクにおける線４−４に沿ってマスクの上端を臨む断面斜視図であり、鼻アウトガスコレクタと散乱チャンバの一部を示している。図１０は、マスク１００、シールド１０２（上端１０４、右側部１０８、左側部１１０、内面１１２、外面１１４、および壁厚１１６を有している）、肌接触部１４０、二つの供給ガス入口部１３０、二つの供給ガスアライメント部１３２、二つの供給ガスライン１３３、鼻アウトガスコレクタ２０４、二つのフレキシブル部材２１０、および二つの散乱チャンバ３００（各々が中央軸３０４、中央軸３１４を有する入口部３０６、上面３１０を有するフロー偏向部３０８、および複数の出口部３０２を備えている）を示している。図１０は、散乱チャンバ３００とその出口部３０２を図８Ａおよび図８Ｂとは別角度から見た図である。図１０に記載された様々なコンポーネントは例示に過ぎず、コンポーネントの除去、結合、および置き換えを含む様々な変更がなされうる。
【００５５】
図１１は、図６のマスクにおける線５−５に沿ってマスクの上端を臨む断面斜視図であり、アウトガスコレクタチャネルの一部を示している。図１１は、マスク１００、シールド１０２（上端１０４、右側部１０８、左側部１１０、内面１１２、外面１１４、および壁厚１１６を有している）、アウトガスコレクタアセンブリ２００（口アウトガスコレクタ２０２、鼻アウトガスコレクタ２０４、アウトガスコレクタ通路２０６、およびアウトガスコレクタ分析部２０８を備えている）、二つの供給ガス入口部１３０、二つの散乱チャンバ３００（各々がフロー偏向部３０８、中央軸３１２を有する複数の出口部３０２、および二つのフレキシブル部材２１０を備えている）、二つの供給ガスアライメント部１３２、および二つの供給ガスライン１３３を示している。図１１は、散乱チャンバ３００とその出口部３０２を図７とは別角度から見た図である。図１１に記載された様々なコンポーネントは例示に過ぎず、コンポーネントの除去、結合、および置き換えを含む様々な変更がなされうる。
【００５６】
図１２は、図２のマスクにおける線６−６に沿ってマスクの左側を臨む断面右側面図であり、口アウトガスコレクタ、鼻アウトガスコレクタ、およびアウトガスコレクタチャネルの一部を示している。図１２は、マスク１００、シールド１０２（上端１０４、下端１０６、内面１１２、外面１１４、および壁厚１１６を有している）、アウトガスコレクタアセンブリ２００（口アウトガスコレクタ２０２、鼻アウトガスコレクタ２０４、アウトガスコレクタ通路２０６、およびアウトガスコレクタ分析部２０８を備えている）、および肌接触部１４０を示している。図１２は、口アウトガスコレクタ２０２、鼻アウトガスコレクタ２０４、およびアウトガスコレクタ通路２０６の間の連通を図３とは別角度から見た図である。図１２に記載された様々なコンポーネントは例示に過ぎず、コンポーネントの除去、結合、および置き換えを含む様々な変更がなされうる。
【００５７】
図１３は、図２のマスクにおける線７−７に沿ってマスクの左側を臨む断面右側面図であり、散乱チャンバの一部を示している。図１３は、マスク１００、シールド１０２（上端１０４、下端１０６、内面１１２、外面１１４、および壁厚１１６を有している）、供給ガス入口部１３０、散乱チャンバ３００（複数の出口部３０２、および上面３１０を有するフロー偏向部３０８を備えている）、および肌接触部１４０を示している。図１３は、散乱チャンバ３００とその出口部３０２を供給ガス入口部１３０との関わりで別角度から見た図である。図１３に記載された様々なコンポーネントは例示に過ぎず、コンポーネントの除去、結合、および置き換えを含む様々な変更がなされうる。
【００５８】
図１４は、図２のマスクにおける線８−８に沿ってマスクの左側を臨む断面右側面図であり、散乱チャンバの別例の一部を示している。図１４は、マスク１００、シールド１０２（上端１０４、下端１０６、内面１１２、外面１１４、および壁厚１１６を有している）、散乱チャンバ３００（上面３１０を有するフロー偏向部３０８を備えている）、アウトガスコレクタアセンブリ２００（口アウトガスコレクタ２０２、鼻アウトガスコレクタ２０４、アウトガスコレクタ通路２０６、およびアウトガスコレクタ分析部２０８を備えている）、および肌接触部１４０を示している。図１４は、散乱チャンバ３００をアウトガスコレクタアセンブリ２００との関わりで別角度から見た図である。図１４に記載された様々なコンポーネントは例示に過ぎず、コンポーネントの除去、結合、および置き換えを含む様々な変更がなされうる。
【００５９】
様々な態様や形態を開示したが、当業者にとっては他の態様や形態も明らかである。ここに開示された様々な態様や形態は例示に過ぎず、限定の意図もない。真の範囲は、添付の請求項に示される。
【図１】
2019521828.tif 000003
【図２】
2019521828.tif 000004
【図３】
2019521828.tif 000005
【図４】
2019521828.tif 000006
【図５】
2019521828.tif 000007
【図６】
2019521828.tif 000008
【図７】
2019521828.tif 000009
【図８Ａ】
2019521828.tif 000010
【図８Ｂ】
2019521828.tif 000011
【図９】
2019521828.tif 000012
【図１０】
2019521828.tif 000013
【図１１】
2019521828.tif 000014
【図１２】
2019521828.tif 000015
【図１３】
2019521828.tif 000016
【図１４】
2019521828.tif 000017
【国際調査報告】
2019521828.tif 000018